(57)【要約】    【課題】  インターネットの普及と携帯電話等の携帯型情報端末機器の機能向上を活用し、より簡便に見栄えのする個性的な名刺や年賀状等がいながらにして作成できるシステムを提供する。    【解決手段】  名刺、手紙の作成システムは、インターネット上のサーバーと、インターネットを通じて該サーバーにアクセスする機能を有する携帯型情報端末機器と、該携帯型情報端末機器に繋がるプリンタとを有し、該携帯型情報端末機器から入力される氏名等のデータから、該サーバーの名刺ソフトによりレイアウトされた名刺データを作成し、該名刺データを該携帯型情報端末機器にダウンロードしてから該プリンタに転送し、該プリンタで紙上に印刷するものである。【選択図】          図１
2006285331.tif 000002
【特許請求の範囲】
【請求項１】
インターネット上のサーバーと、インターネットを通じて該サーバーにアクセスする機能を有する携帯型情報端末機器と、該携帯型情報端末機器に繋がるプリンタとを有し、
該携帯型情報端末機器から入力される氏名等のデータから、該サーバーの名刺ソフトによりレイアウトされた名刺データを作成し、該名刺データを該携帯型情報端末機器にダウンロードしてから該プリンタに転送し、該プリンタで紙上に印刷することを特徴とする名刺、手紙の作成システム。
【請求項２】
該サーバーに氏名等のデータを入力するフォームを有し、該携帯型情報端末機器に該フォームをダウンロードしてデータを入力することを特徴とする請求項１に記載の名刺、手紙の作成システム。
【請求項３】
該サーバーには、氏名等のデータからＱＲコードを生成して該名刺データにレイアウトする機能を有することを特徴とする請求項１に記載の名刺、手紙の作成システム。
【請求項４】
該携帯型情報端末機器に備えた画像入力手段で撮影した写真データが、該サーバーに入力されることを特徴とする請求項１に記載の名刺、手紙の作成システム。
【請求項５】
該携帯型情報端末機器と該プリンタとが、赤外線通信、有線ケーブル、無線通信、またはメモリー手段のつなぎかえによって接続されることを特徴とする請求項１に記載の名刺、手紙の作成システム。
【請求項６】
該携帯型情報端末機器が、カメラ機能を有する／あるいはカメラ機能を有しない、携帯電話であることを特徴とする請求項１に記載の名刺、手紙の作成システム。
【発明の詳細な説明】
【技術分野】
【０００１】
本発明は、携帯電話等の携帯型情報端末機器を使用して名刺や年賀状等の手紙を簡便に作成するシステムに関するものである。
【背景技術】
【０００２】
名刺、年賀状等の印刷は、印刷業者が活字の版組みをし、印刷機によって印刷することで永年なされてきた。しかし、最近ではパソコン、プリンタの普及と、名刺印刷ソフト、はがき作成ソフト等が出回ったことで、パターン化したフォームに氏名等のデータを入力するだけで見栄えのする個性的な名刺や年賀状等が素人でも簡単に作成できるようになっている。
【０００３】
さらに名刺は、直接的に見える文字情報だけではなく、より多くの情報を入れるために、例えば特許文献１にあるようにバーコード刷り込むこともある。また、特許文献２には、二次元コードであるＱＲコードを印刷して情報量を増加させている。
【０００４】
一方、最近の携帯電話は、電話としての機能だけではなく、広く情報処理の機能を備えている。操作上、キーボードの制約はあるものの、画像通信機能などは一昔前のパソコン以上のものを持っている。インターネットへのアクセス手段としても、パソコンに近い性能を備えるようになってきている。携帯端末の画像撮影機能、画像通信機能を利用してＱＲコードの撮影、そのデータをインターネット経由で通信する技術が特許文献３に示されている。
【０００５】
【特許文献１】特開２００１−２６０５７５号公報
【特許文献２】特開２００３−１５４７７４号公報
【特許文献３】特開２００３−３４７６８９号公報
【発明の開示】
【発明が解決しようとする課題】
【０００６】
本発明は、インターネットの普及と携帯電話等の携帯型情報端末機器の機能向上を活用し、より簡便に見栄えのする個性的な名刺や年賀状等がいながらにして作成できるシステムを提供することを目的とする。
【課題を解決するための手段】
【０００７】
前記の目的を達成するためになされた、特許請求の範囲の請求項１に記載された発明の名刺、手紙の作成システムは、インターネット上のサーバーと、インターネットを通じて該サーバーにアクセスする機能を有する携帯型情報端末機器と、該携帯型情報端末機器に繋がるプリンタとを有し、該携帯型情報端末機器から入力される氏名等のデータから、該サーバーの名刺ソフトによりレイアウトされた名刺データを作成し、該名刺データを該携帯型情報端末機器にダウンロードしてから該プリンタに転送し、該プリンタで紙上に印刷することを特徴とする。
【０００８】
同じく請求項２に記載された発明の名刺、手紙の作成システムは、該サーバーに氏名等のデータを入力するフォームを有し、該携帯型情報端末機器に該フォームをダウンロードしてデータを入力することを特徴とする。
【０００９】
請求項３に記載された発明の名刺、手紙の作成システムは、該サーバーには、氏名等のデータからＱＲコードを生成して該名刺データにレイアウトする機能を有することを特徴とする。
【００１０】
請求項４に記載された発明の名刺、手紙の作成システムは、該携帯型情報端末機器に備えた画像入力手段で撮影した写真データが、該サーバーに入力されることを特徴とする。
【００１１】
請求項５に記載された発明の名刺、手紙の作成システムは、該携帯型情報端末機器と該プリンタとが、赤外線通信、有線ケーブル、無線通信、またはメモリー回路のつなぎかえによって繋がれることを特徴とする。
【００１２】
請求項６に記載された発明の名刺、手紙の作成システムは、該携帯型情報端末機器が、カメラ機能を有する／あるいはカメラ機能を有しない、携帯電話であることを特徴とする。
【発明の効果】
【００１３】
本発明の名刺、手紙の作成システムによれば、インターネットに接続する携帯電話等の携帯型情報端末機器により、インターネット上のサーバーにあるソフトウエアを利用して、見栄えのする個性的な名刺や年賀状等の手紙を、一般利用者でも簡便かつ安価に作成できるようになった。また、例えば電話番号等のデータの変更や、季節、時期によって名刺等のデザインの変更を簡単に実施できるという特徴がある。
【発明を実施するための最良の形態】
【００１４】
以下、本発明を実施するための一例である最良の形態を詳細に説明するが、本発明の範囲はこの形態に限定されるものではない。
【００１５】
図１は本発明を適用する名刺、手紙の作成システムのハードウエアの主要構成を示す概略図である。
【００１６】
この構成において、インターネット網１に接続するサーバーコンピューター３には名刺作成ソフトが搭載されている。インターネット網１には、プロバイダーでもある基地局５が接続している。そのため携帯型情報端末機器である携帯電話１０は、基地局５を介してインターネット網１に接続できるようになっている。
【００１７】
また、携帯電話１０には文字入力のテンキーとともに、赤外線通信の送受装置を備え、さらにＣＣＤカメラを搭載している。そして、携帯電話１０は赤外線通信を介してプリンタ７に接続されている。
【００１８】
このようなシステム構成で、以下のような手順により名刺が作成される。その手順を図２、図３、図４に示すフローチャートにしたがって説明する。
【００１９】
図２は携帯電話１０の操作手順を示すもので、先ずステップ１０１でサーバー３にアクセスし、名刺作成ソフト１２を呼び出す。この名刺作成ソフトは、例えば日替わり名刺」といった表題が付けられている。アクセス権があることの条件である会員番号、その他のデータを入れて、作りたい名刺形式のデータ入力フォームをサーバー３に要求する。
【００２０】
サーバー３では、図３に示すように、会員番号、作りたい名刺形式等を検討判別し（ステップ２０１）、データの不備を是正しつつ（ステップ２０２）、条件に合った入力フォームを携帯電話１０宛に送信する（ステップ２０３）。
【００２１】
携帯電話１０では、ステップ１０３でその入力フォームをダウンロードする。次いでステップ１０４では、入力フォームの背後にある背景画像（名刺紙の地模様および色）のコード番号を選択し入力する。ステップ１０５では、テンキーを用いて氏名や住所等の文字を入力フォーム１４に入力する。
【００２２】
一方、名刺に写真を入れる場合には、携帯電話１０のカメラで写真撮影をし（ステップ１０６）、その写真を入力フォーム１４に取り込む（ステップ１０７）。
【００２３】
入力フォーム１４にデータ入力が終了したら（ステップ１０５）、そのデータをステップ１０８にてサーバー３に送信する。
【００２４】
図４にはサーバー３上で名刺を編集する手順が示されている。ステップ３０１では携帯電話１０から入力したデータの吟味がされ、不備があれば訂正要求をしつつ（ステップ３０２）、ＯＫになったらデータをサーバー３のメモリ領域に保存しておく（ステップ３０３）。さらに、このデータからステップ３０４でＱＲコードを生成し、保存する。そして、データから、ステップ３０５にてレイアウトソフトにデータを挿入してゆき、名刺としての体裁が整った画像の名刺データを携帯電話１０に送信する（ステップ３０６）。
【００２５】
ここで携帯電話１０では、ステップ１０９においてディスプレイ表示に現れた名刺の体裁を確認し、訂正すべきところがあれば戻って編集をやりなおす。ＯＫとなったら、ステップ１１０にて名刺データをダウンロードし、赤外線通信を駆動してプリンタ７にプリント指示を出す（ステップ１１１）。
【００２６】
プリンタ７では、携帯電話１０からの名刺データによって印刷し、名刺９（図１参照）が完成する。この名刺は、選択した地模様の上に住所、氏名、電話番号等のみならず、顔写真、および視覚的判別できない個人情報もＱＲコードで書き込まれている。
【００２７】
尚、プリンタ７は、携帯電話１０の所有者が個人で所有するプリンタに限られず、例えばコンビエンスストアなどに設置してあるプリンタも使用し得る。
【００２８】
図１には、携帯電話１０とは別な携帯電話１１が示されている。この構成においては、上記のステップ１１０において携帯電話１０でダウンロードした名刺データを、赤外線通信を介して携帯電話１１に送れば、携帯電話１０の所有者の名刺を携帯電話１１のデイスプレイで目視できる。紙にプリントせずに、事実上の名刺交換が成立する。
【００２９】
上記の実施形態では、携帯型情報端末機器として携帯電話を採用しているが、これに限られることなく、ノートパソコンやパームトップ端末機など、機能の整った機器であれば使用できる。また、携帯型情報端末機器とプリンタとの間のデータの授受は赤外通信のみならず、無線通信、ケーブル通信でもよい。勿論、フラッシュメモリ、メモリーカードやＣＤＲＯＭなどのメモリー手段によるデータの授受も可能である。
【図面の簡単な説明】
【００３０】
【図１】本発明を適用する名刺、手紙の作成システムにおける、ハードウエアの主要構成を示す概略図である。
【００３１】
【図２】本発明を適用する名刺、手紙の作成システムにおける、携帯電話の操作手順を示すフローチャートである。
【００３２】
【図３】本発明を適用する名刺、手紙の作成システムにおける、サーバーから入力フォームを送信する手順を示すフローチャートである。
【００３３】
【図４】本発明を適用する名刺、手紙の作成システムにおける、サーバー上で名刺を編集する手順を示すフローチャートである。
【符号の説明】
【００３４】
１はインターネット網、３はサーバーコンピューター、５は基地局、７はプリンタ、９は名刺、１０・１１は携帯電話、１２は名刺作成ソフト、１４は入力フォーム、１０１〜１１１は携帯電話操作手順の各ステップ、２０１〜２０３はサーバーから入力フォームを送信する手順の各ステップ、３０１〜３０６はサーバー上における名刺編集の手順の各ステップである。
【図１】
2006285331.tif 000003
【図２】
2006285331.tif 000004
【図３】
2006285331.tif 000005
【図４】
2006285331.tif 000006